(57)【特許請求の範囲】
【請求項１】
樹脂製の周壁部と、
前記周壁部の周方向に巻く螺旋状に延び、かつ、前記周壁部の外周面と一体である樹脂製の管状部であって、温度を調整するための媒体を前記管状部に沿って通すように構成された通路と、前記通路に前記媒体を導入する導入部と、前記通路に導入された前記媒体を前記通路から導出する導出部とを備える前記管状部とを備え、
前記管状部は、前記通路を前記管状部内に区画する筒面であって前記螺旋状に延びる前記筒面を含み、
前記筒面は、前記筒面外に向けて突き出る複数の山折部と、前記筒面内に向けて窪む複数の谷折部とを含み、前記山折部と前記谷折部とが前記筒面の延びる方向に交互に繰り返された蛇腹状を有する
貯蔵タンク。
【請求項２】
前記管状部の延びる方向で前記山折部の繰り返される周期が繰り返し周期であり、
前記筒面は、内側部分と、前記周壁部の径方向において前記内側部分よりも外側に位置する外側部分とを含み、
前記内側部分の前記繰り返し周期は、前記外側部分の前記繰り返し周期よりも短い
請求項１に記載の貯蔵タンク。
【請求項３】
前記周壁部と前記管状部とが一体の樹脂成型物であり、
前記周壁部の径方向において前記樹脂成型物が有する厚みのうち、前記通路よりも外側の厚みは、前記通路よりも内側の厚みよりも大きい部分を含む
請求項１または２に記載の貯蔵タンク。
【請求項４】
前記管状部は、前記媒体である第１媒体を通す前記通路である第１通路と、前記導入部である第１導入部と、前記導出部である第１導出部とを備える第１管状部であり、
前記周壁部の周方向に巻く螺旋状に延び、かつ、前記周壁部の外周面と一体である樹脂
製の第２管状部であって、温度を調整するための第２媒体を前記第２管状部に沿って通すように構成された第２通路と、前記第２通路に前記第２媒体を導入する第２導入部と、前記第２通路に導入された前記第２媒体を前記第２通路から導出する第２導出部とを備える前記第２管状部をさらに備え、
前記第２管状部は、前記第１管状部よりも下方、かつ、前記第１管状部の延長線上に位置する
請求項１から３のいずれか一項に記載の貯蔵タンク。
【請求項５】
前記周壁部と前記管状部とが一体の樹脂成型物であり、
前記樹脂成型物は、前記樹脂成型物を構成する樹脂よりも高い熱伝導性を有した無機フィラーを含む
請求項１から４のいずれか一項に記載の貯蔵タンク。
【請求項６】
樹脂製の周壁部と、
前記周壁部の周方向に巻く螺旋状に延び、かつ、前記周壁部の外周面と一体である樹脂製の管状部であって、温度を調整するための媒体を前記管状部に沿って通すように構成された通路と、前記通路に前記媒体を導入する導入部と、前記通路に導入された前記媒体を前記通路から導出する導出部とを備える前記管状部とを備え、
前記周壁部と前記管状部とが一体の樹脂成型物であり、
前記周壁部の径方向において前記樹脂成型物が有する厚みのうち、前記通路よりも内側の厚みが、前記通路よりも外側の厚みよりも大きい部分と、前記通路よりも外側の厚みよりも小さい部分と、を含む
貯蔵タンク。
【請求項７】
樹脂製の周壁部を形成することと、
前記周壁部の周方向に巻く螺旋状に延びる樹脂製の管状体であって、温度を調整するための媒体を前記管状体に沿って通すように構成された通路が形成された前記管状体を前記周壁部の外周面に溶着し、それによって、前記周壁部の周方向に巻く螺旋状に延びる樹脂製の管状部を前記周壁部と一体の樹脂成型物とすることとを含み、
前記管状部は、前記通路を前記管状部内に区画する筒面であって前記螺旋状に延びる前記筒面を含み、
前記筒面は、前記筒面外に向けて突き出る複数の山折部と、前記筒面内に向けて窪む複数の谷折部とを含み、前記山折部と前記谷折部とが前記筒面の延びる方向に交互に繰り返された蛇腹状を有する
貯蔵タンクの製造方法。
【発明の詳細な説明】
【技術分野】
【０００１】
内容物の温度を調整するための媒体が流れる通路を備える貯蔵タンク、および、貯蔵タンクの製造方法に関する。
【背景技術】
【０００２】
次亜塩素酸溶液のような水処理液を貯蔵する貯蔵タンクには、貯蔵槽に貯蔵される水処理液の温度を所定の範囲に調整するための機能が求められる。特許文献１に記載の水処理用薬品の冷却装置は、貯蔵槽と、貯蔵槽の外周に取り付けられる断熱壁とを備え、貯蔵槽と断熱壁との間に介在する冷却気体が貯蔵槽に貯蔵される液体を冷却する。
【先行技術文献】
【特許文献】
【０００３】
【特許文献１】特開２０１３−９６６２４号公報
【発明の概要】
【発明が解決しようとする課題】
【０００４】
ところで、特許文献１に記載の冷却装置では、貯蔵槽と断熱壁とが各別の部材として構成され、また、断熱壁は複数の側壁パネルから構成される。そして、貯蔵タンクが設置されることに際しては、貯蔵槽が有する外周面の周りに複数の側壁パネルを設置する作業と共に、貯蔵槽と断熱壁との間で所定の方向に冷却気体を流すために、貯蔵槽と複数の側壁パネルとの間に整流板を別途配置させる作業も求められる。そこで、内容物の温度を調整することが求められる貯蔵タンクにおいては、貯蔵タンクの設置に要する負荷を軽減させる構成が求められる。
【０００５】
なお、上述した課題は、内容物が水処理液である水処理タンクに限らず、例えば、内容物が化学薬品である化学薬品タンク、内容物が水である貯水タンク、内容物が樹脂材料である材料サイロ、内容物が脱臭液である脱臭用タンクなどの各種の貯蔵タンクにおいて共通する。
本発明は、貯蔵タンクの設置に要する負荷を軽減させることを可能とする貯蔵タンク、および、貯蔵タンクの製造方法を提供することを目的とする。
【課題を解決するための手段】
【０００６】
上記課題を解決するための貯蔵タンクは、樹脂製の周壁部と、前記周壁部の周方向に巻く螺旋状に延び、かつ、前記周壁部の外周面と一体である樹脂製の管状部であって、温度を調整するための媒体を前記管状部に沿って通すように構成された通路と、前記通路に前記媒体を導入する導入部と、前記通路に導入された前記媒体を前記通路から導出する導出部とを備える前記管状部とを備える。
【０００７】
上記課題を解決するための貯蔵タンクの製造方法は、樹脂製の周壁部を形成することと、前記周壁部の周方向に巻く螺旋状に延びる樹脂製の管状体であって、温度を調整するための媒体を前記管状体に沿って通すように構成された通路が形成された前記管状体を前記周壁部の外周面に溶着し、それによって、前記周壁部の周方向に巻く螺旋状に延びる樹脂製の管状部を前記周壁部と一体の樹脂成型物とすることとを含む。
【０００８】
上記構成によれば、周壁部と管状部とが一体の樹脂成型物であるため、これら周壁部と管状部とが別体である構成、すなわち、内容物を貯蔵する機能を有した部材と、その内容物の温度を調整する機能を有した部材とが別体である構成と比べ、貯蔵タンクを構成する部材の管理を含め、貯蔵タンクの設置に要する負荷を軽減することが可能である。
【０００９】
上記貯蔵タンクにおいて、前記管状部は、前記通路を前記管状部内に区画する筒面であって前記螺旋状に延びる前記筒面を含み、前記筒面は、前記筒面外に向けて突き出る複数の山折部と、前記筒面内に向けて窪む複数の谷折部とを含み、前記山折部と前記谷折部とが前記筒面の延びる方向に交互に繰り返された蛇腹状を有してもよい。
【００１０】
上記構成によれば、媒体が通る空間を区画する筒面が蛇腹状を有するため、筒面が単なる円筒面や矩形筒面である構成と比べ、管状部の単位長さあたりにおいて、筒面が有する面積を大きくすることが可能である。そして、管状部のなかに滞在する媒体と、筒面との接触する面積を大きくすることが可能であるから、管状部のなかに滞在する媒体と、貯蔵タンクの内容物との間での熱の授受、すなわち、管状部のなかに滞在する媒体による温度の調整が効果的に行われる。
【００１１】
上記貯蔵タンクにおいて、前記管状部の延びる方向で前記山折部の繰り返される周期が繰り返し周期であり、前記筒面は、内側部分と、前記周壁部の径方向において前記内側部分よりも外側に位置する外側部分とを含む。そして、前記内側部分の前記繰り返し周期は、前記外側部分の前記繰り返し周期よりも短くてもよい。
【００１２】
上記構成によれば、山折部と谷折部とが管状部の延びる方向に繰り返される蛇腹状を管状部が有すると共に、管状部が周壁部の外周に巻かれたように、貯蔵タンクが構成される。すなわち、貯蔵タンクを製造する方法の一例として、上記蛇腹状を有する管状部を周壁部の外周に巻くと共に、これらを一体に成型する方法を採用することが可能でもある。
【００１３】
上記貯蔵タンクにおいて、前記周壁部と前記管状部とが一体の樹脂成型物であり、前記周壁部の径方向において前記樹脂成型物が有する厚みのうちで前記通路よりも外側の厚みは、前記通路よりも内側の厚みよりも大きい部分を含んでもよい。
【００１４】
上記構成によれば、通路よりも外側における樹脂の厚みが、通路よりも内側における樹脂の厚みよりも大きい部分において、通路のなかに滞在する媒体と、貯蔵タンクが設置された環境との間の熱の授受を抑えることが可能でもある。それゆえに、通路のなかに滞在する媒体と、貯蔵タンクに貯蔵される内容物との熱の授受を、通路のなかに滞在する媒体と、貯蔵タンクが設置された環境との間の熱の授受よりも高めることが可能でもある。また、例えば、通路のなかに滞在する媒体が冷却媒体であるときには、冷却媒体による水分の冷却によって貯蔵タンクの表面に結露が生じることを抑えることが可能でもある。
【００１５】
上記貯蔵タンクにおいて、前記周壁部と前記管状部とが一体の樹脂成型物であり、前記周壁部の径方向において前記樹脂成型物が有する厚みのうちで前記通路よりも内側の厚みは、前記通路よりも外側の厚みよりも大きい部分を含んでもよい。
【００１６】
上記構成によれば、通路よりも内側における樹脂の厚みが、通路よりも外側における樹脂の厚みよりも大きい部分において、通路のなかに滞在する媒体と、貯蔵タンクに貯蔵された内容物との間の過剰な熱の授受を抑えることが可能でもある。それゆえに、通路のなかに滞在する媒体と、貯蔵タンクに貯蔵される内容物との熱の授受を、通路のなかに滞在する媒体と、貯蔵タンクが設置された環境との間の熱の授受よりも低くすることが可能でもある。結果として、所望の温度範囲に一旦調整された内容物の温度をその範囲内に保つ機能を高めることが可能でもある。そして、例えば、内容物の温度が所望の温度範囲に一旦調整された後には、通路に滞在していた媒体を通路から抜くことが可能でもある。
【００１７】
上記貯蔵タンクにおいて、前記管状部は、前記媒体である第１媒体を通す前記通路である第１通路と、前記導入部である第１導入部と、前記導出部である第１導出部とを備える第１管状部である。また、上記貯蔵タンクは、前記周壁部の周方向に巻く螺旋状に延び、かつ、前記周壁部の外周面と一体である樹脂製の第２管状部であって、温度を調整するための第２媒体を前記第２管状部に沿って通すように構成された第２通路と、前記第２通路に前記第２媒体を導入する第２導入部と、前記第２通路に導入された前記第２媒体を前記第２通路から導出する第２導出部とを備える前記第２管状部をさらに備える。そして、上記貯蔵タンクにおいて、前記第２管状部は、前記第１管状部よりも下方、かつ、前記第１管状部の延長線上に位置してもよい。
【００１８】
上記構成によれば、第２管状部が第１管状部の上方に位置するため、周壁部の内側に位置する内容物に対して、上下方向における温度の調整の自由度を高めることが可能にもなる。例えば、第１媒体の温度と第２媒体の温度とが同じである構成であれば、第２管状部が加わる分だけ、第１管状部よりも下方に位置する内容物に対し、それの温度を調整する能力を貯蔵タンクで高めることが可能である。また、第１媒体の有する熱伝導性や温度と、第２媒体の有する熱伝導性や温度とが互いに異なる構成であれば、上下方向における内容物の温度の差異に合わせた温度の調整が可能でもあり、あるいは、上下方向における内容物の温度に所望の勾配を与えることも可能である。
【００１９】
上記貯蔵タンクにおいて、前記周壁部と前記管状部とが一体の樹脂成型物であり、前記樹脂成型物は、前記樹脂成型物を形成する樹脂よりも高い熱伝導性を有した無機フィラーを含んでもよい。
【００２０】
上記構成によれば、貯蔵タンクに貯蔵された内容物と、その内容物の温度を調整するための媒体との間における熱の授受が高められるため、媒体による温度の調整においてその効率を高めることが可能でもある。
【発明の効果】
【００２１】
本発明によれば、貯蔵タンクの設置に要する負荷を軽減させることが可能である。
【図面の簡単な説明】
【００２２】
【図１】図１は、貯蔵タンクの側面構造が媒体を循環させる装置と共に示される側面図である。
【図２】図２は、周壁部および管状部の側断面構造の一部が拡大されて示される貯蔵タンクの部分断面図である。
【図３】図３は、管状部が含む山折部と谷折部との繰り返し構造の一部が拡大されて示される部分断面図である。
【図４】図４は、貯蔵タンクの製造方法に含まれる工程の１つであって周壁部の外周面に管状部材が巻かれる工程が示される工程図である。
【図５】図５は、第１変形例の貯蔵タンクの側面構造が媒体を循環させる装置と共に示される側面図である。
【図６】図６は、他の変形例の貯蔵タンクが備える周壁部および管状部の側断面構造の一部が拡大されて示される貯蔵タンクの部分断面図である。
【図７】図７は、他の変形例の貯蔵タンクが備える周壁部および管状部の側断面構造の一部が拡大されて示される貯蔵タンクの部分断面図である。
【図８】図８は、他の変形例の貯蔵タンクが備える周壁部および管状部の側断面構造の一部が拡大されて示される貯蔵タンクの部分断面図である。
【図９】図９は、他の変形例の貯蔵タンクが備える周壁部および管状部の側断面構造の一部が拡大されて示される貯蔵タンクの部分断面図である。
【図１０】図１０は、他の変形例の貯蔵タンクの側面構造を示す側面図である。
【発明を実施するための形態】
【００２３】
以下、図１から図４を参照し、貯蔵タンク、および、貯蔵タンクの製造方法を実施するための１つの形態を説明する。なお、図１では、貯蔵タンクの全体的な構成を説明する便宜上から、管状部を直線として簡略化している。
【００２４】
図１が示すように、貯蔵タンクは、両端が閉塞された円筒状を有している。貯蔵タンクは、円筒状を有した樹脂製の周壁部１１と、周壁部１１の外周面に溶着された溶着部である樹脂製の管状部１２とを備える。周壁部１１と管状部１２とは、一体の樹脂成型物である。管状部１２は、周壁部１１の周方向に巻き、かつ、周壁部１１の下端から周壁部１１の上端に向けて延びる螺旋状を有する。
【００２５】
管状部１２には、温度を調整する媒体を通す通路と、通路に媒体を導入する導入部１３Ｂと、通路に導入された媒体を通路から導出する導出部１３Ａとが形成されている。管状部１２に形成された通路は、管状部１２のほぼ中心を通る空間であって、管状部１２の外形と同じく、周壁部１１の周方向に巻き、かつ、周壁部１１の下端から周壁部１１の上端に向けて延びる螺旋状を有する。
【００２６】
管状部１２に形成された導入部１３Ｂは、管状部１２に形成された通路の上端に位置し、管状部１２に形成された導出部１３Ａは、管状部１２に形成された通路の下端に位置する。導入部１３Ｂおよび導出部１３Ａは、循環装置２１に接続される。循環装置２１は、例えば、媒体の一例である液体を管状部１２に循環させるためのポンプであって、導入部１３Ｂに向けて液体を導出すると共に、導出部１３Ａから液体が導入されるように構成されている。循環装置２１が循環させる液体は、貯蔵タンクに貯蔵された内容物の温度を外気とは異なる温度に調整するための温度を有した液体である。
【００２７】
なお、循環装置２１は、例えば、ドレインタンクを備えると共に、管状部１２に循環させた液体の全てを管状部１２からドレインタンクに抜き取り、抜き取られた液体に代え、管状部１２に形成された通路に媒体の一例である空気を封入するように構成されてもよい。空気が封入された管状部１２は、液体が循環する管状部１２よりも、貯蔵タンクに貯蔵された内容物とその外部との熱の伝導を抑え、それによって、貯蔵タンクが貯蔵する内容物の温度を保つ機能を有する。
【００２８】
貯蔵タンクは、例えば、施設の屋上に設置される屋上設置型のタンク、地面に設置される地面設置型のタンク、地面に埋設される埋設型のタンク、室内に置かれる室内型のタンク、屋外に置かれる屋外型のタンクとして用いられる。貯蔵タンクの底部は、例えば、アンカーボルトなどが取り付けられるフランジを備え、貯蔵タンクが設置される設置面にそのフランジが固定される。
【００２９】
貯蔵タンクを形成する樹脂として、例えば、高密度ポリエチレン、低密度ポリエチレン、ポリプロピレン、繊維強化プラスチック（Fiber Reinforced Polyester（ＦＲＰ））が挙げられる。また、貯蔵タンクを形成する樹脂として、例えば、貯蔵タンクの耐候性を高めるためのカーボンブラックがこれらの樹脂に含まれる耐候性樹脂や、貯蔵タンクを構成する樹脂よりも高い熱伝導性を有した無機フィラーがこれらの樹脂に含まれる熱伝導性樹脂が挙げられる。
【００３０】
貯蔵タンクに貯蔵される内容物として、例えば、次亜塩素酸ナトリウム溶液、アンモニア水、塩素水、塩酸、過酸化水素、クエン酸、水酸化ナトリウム、炭酸マグネシウム、塩水、ポリ塩化アルミニウムなとの液体、各種の樹脂の原材料である樹脂粒体などが挙げられる。
【００３１】
貯蔵タンクの天面１１Ｓには、円筒状を有した点検部１４と、円筒状を有した天面ノズル１５とが設けられ、また、天面１１Ｓの周方向の全体を囲う手摺り１６が固定されている。また、管状部１２の外側には、作業者が天面１１Ｓまで登るための梯子１７が固定される。点検部１４は、貯蔵タンクの内部を視認できるように構成された点検窓を備える。天面ノズル１５は、貯蔵タンクの内部に内容物を充填できるように構成された貯蔵口を備える。貯蔵タンクで作業を行う作業者は、例えば、梯子１７を通じて天面１１Ｓまで登った後に、手摺り１６に囲まれた作業空間のなかで、点検部１４を用いた貯蔵タンク内の点検や、天面ノズル１５を用いた内容物の貯蔵を行う。
【００３２】
図２が示すように、管状部１２は、周壁部１１の外周面に沿って、かつ、上下方向に隙間を空けて巻かれている。管状部１２の側断面におけるほぼ中心には、管状部１２が延びる方向に沿って延びる通路１２Ｐが形成されている。通路１２Ｐは、管状部１２の側断面においてほぼ円形を有する。なお、図２においては、周壁部１１と管状部１２とを説明する便宜上から、周壁部１１と管状部１２とに別々のハッチングが付されているが、上述したように、管状部１２は周壁部１１に溶着された溶着部であって、周壁部１１と管状部１２とは一体の樹脂成型物である。
【００３３】
管状部１２に形成された通路１２Ｐの内径である直径は、通路径Ｔｐである。周壁部１１の径方向において、上記樹脂成型物が有する厚み、すなわち、周壁部１１と管状部１２とが有する厚みの合計は、タンク肉厚Ｔａである。タンク肉厚Ｔａのなかで通路１２Ｐよりも内側の厚みは、内側肉厚Ｔｉｎである。タンク肉厚Ｔａのなかで通路１２Ｐよりも外側の厚みは、外側肉厚Ｔｏｕｔである。
【００３４】
外側肉厚Ｔｏｕｔは、内側肉厚Ｔｉｎよりも大きい部分を有してもよい。外側肉厚Ｔｏｕｔが内側肉厚Ｔｉｎよりも大きい部分においては、外側肉厚Ｔｏｕｔが内側肉厚Ｔｉｎ以下である部分よりも、通路１２Ｐのなかに滞在する媒体と、貯蔵タンクが設置された環境との間の熱の授受を抑えることが可能となる。結果として、通路１２Ｐのなかに滞在する媒体と、貯蔵タンクに貯蔵される内容物との熱の授受を、通路１２Ｐのなかに滞在する媒体と、貯蔵タンクが設置された環境との間の熱の授受よりも高めることが可能である。それゆえに、例えば、通路１２Ｐを循環する媒体の温度が、貯蔵タンクが設置された環境によって変わることを抑えることが可能となる。また、例えば、通路１２Ｐのなかに滞在する媒体が冷却媒体であるときには、外気中の水分が冷却媒体によって冷却され、それによって、貯蔵タンクの表面に結露が生じることを抑えることが可能ともなる。
【００３５】
また、外側肉厚Ｔｏｕｔは、内側肉厚Ｔｉｎよりも小さい部分を有してもよい。内側肉厚Ｔｉｎが外側肉厚Ｔｏｕｔよりも大きい部分においては、内側肉厚Ｔｉｎが外側肉厚Ｔｏｕｔ以下である部分よりも、通路１２Ｐのなかに滞在する媒体と、貯蔵タンクに貯蔵された内容物との間の熱の授受を抑えることが可能となる。結果として、通路１２Ｐのなかに滞在する媒体と、貯蔵タンクに貯蔵される内容物との熱の授受を、通路１２Ｐのなかに滞在する媒体と、貯蔵タンクが設置された環境との間の熱の授受よりも低くすることが可能である。それゆえに、例えば、所望の温度範囲に一旦調整された内容物の温度をその範囲内に保つ機能を高めることが可能となる。そして、例えば、内容物の温度が所望の温度範囲に一旦調整された後には、通路１２Ｐに滞在していた媒体を通路から抜くことが可能ともなる。
【００３６】
これら内側肉厚Ｔｉｎと外側肉厚Ｔｏｕｔとは、上述した熱の授受に加え、貯蔵タンクに求められる剛性に基づいて適宜設定される。例えば、貯蔵タンクが設置された環境の温度の変化が媒体に対して大きく作用する場合には、外側肉厚Ｔｏｕｔが内側肉厚Ｔｉｎよりも大きく、かつ、貯蔵タンクに求められる剛性が得られる範囲で、各肉厚が設定される。また、例えば、貯蔵タンクが設置された環境の水分濃度が低く、それによって、上述した結露のおそれが小さい場合には、外側肉厚Ｔｏｕｔが内側肉厚Ｔｉｎよりも小さく、かつ、貯蔵タンクに求められる剛性が得られる範囲で、各肉厚が設定される。
【００３７】
貯蔵タンクが有する容積は、例えば、約２０ｍ３以上約１００ｍ３以下である。貯蔵タンクが有する高さと、貯蔵タンクが有するタンク肉厚Ｔａとの関係は、貯蔵タンクを形成する樹脂、貯蔵タンクが有する全ての重量、貯蔵タンクが有する容積など、貯蔵タンクに求められる剛性に関わる各種のパラメータに基づいて適宜設計される。例えば、貯蔵タンクを形成する樹脂が高密度ポリエチレンであり、貯蔵タンクの内径が約３０００ｍｍであり、貯蔵タンクの高さが約３５００ｍｍであるとき、貯蔵タンクが有するタンク肉厚Ｔａは３２ｍｍである。また、例えば、タンクの内径が約３０００ｍｍであり、タンクの高さが約５０００ｍｍであるとき、タンクが有するタンク肉厚Ｔａは４４ｍｍである。また、例えば、タンクの内径が約３０００ｍｍであり、タンクの高さが約１２５００ｍｍであるとき、タンクが有するタンク肉厚Ｔａは１１４ｍｍである。
【００３８】
管状部１２は、通路１２Ｐを管状部１２内に区画する筒面１２Ｓであって、螺旋状に延びる筒面１２Ｓを含む。筒面１２Ｓは、例えば、管状部１２が延びる方向に等しい断面積が連なる円筒面や矩形筒面であってもよいし、管状部１２が延びる方向に互いに異なる断面積が繰り返される蛇腹状を有していてもよい。図３は、蛇腹状を有した筒面１２Ｓの一例を示す。
【００３９】
図３が示すように、蛇腹状を有する筒面１２Ｓは、筒面１２Ｓ外に向けて突き出る複数の山折部１２Ｍと、筒面１２Ｓ内に向けて窪む複数の谷折部１２Ｖとを含む。蛇腹状を有する筒面１２Ｓでは、山折部１２Ｍと谷折部１２Ｖとが、筒面１２Ｓの延びる方向に交互に繰り返される。筒面１２Ｓが蛇腹状を有する構成であれば、筒面１２Ｓが単なる円筒面や矩形筒面である構成と比べ、筒面１２Ｓの単位長さあたりにおいて、筒面１２Ｓが有する面積を大きくすることが可能である。そして、管状部１２のなかに滞在する媒体と、筒面１２Ｓとの接触する面積を大きくすることが可能であるから、管状部１２のなかに滞在する媒体と、貯蔵タンクの内容物との間での熱の授受、すなわち、管状部１２のなかに滞在する媒体による温度の調整が効果的に行われる。
【００４０】
蛇腹状を有する筒面１２Ｓでは、管状部１２の延びる方向において、山折部１２Ｍの繰り返される周期が繰り返し周期１２Ｃである。筒面１２Ｓは、内側部分１２ｉｎと、周壁部１１の径方向において内側部分１２ｉｎよりも外側に位置する外側部分１２ｏｕｔとを含む。内側部分１２ｉｎの繰り返し周期１２Ｃは、外側部分１２ｏｕｔの繰り返し周期１２Ｃ以上であってもよいし、外側部分１２ｏｕｔの繰り返し周期１２Ｃよりも短くてもよい。
【００４１】
内側部分１２ｉｎの繰り返し周期１２Ｃが、外側部分１２ｏｕｔの繰り返し周期１２Ｃよりも短い構成であれば、内側部分１２ｉｎの山折部１２Ｍと、外側部分１２ｏｕｔの山折部１２Ｍとを互いに対向させ、かつ、内側部分１２ｉｎの谷折部１２Ｖと、外側部分１２ｏｕｔの谷折部１２Ｖとを互いに対向させることが可能である。言い換えれば、蛇腹状の筒面１２Ｓを有した管状体が、周壁部１１の外周に巻かれたように、管状部１２を構成することが可能である。そして、貯蔵タンクを製造する方法の一例としては、蛇腹状の筒面１２Ｓを有する管状体を周壁部１１の外周面に巻き、巻かれた管状体が周壁部１１に溶着されることによって、周壁部１１と管状部１２とを一体に成型する方法を採用することが可能でもある。
【００４２】
図４が示すように、上述した貯蔵タンクを製造する方法の一例では、樹脂製の周壁部１１を形成すること、および、周壁部１１の周方向に巻く螺旋状に延びる樹脂製の管状体１２Ｔを周壁部１１の外周面１１Ｔに溶着することを含む。周壁部１１の外周面１１Ｔに巻かれる管状体１２Ｔは、巻かれる方向に連続する１本であってもよいし、巻かれる方向に接続された複数本であってもよい。なお、周壁部１１の外周面１１Ｔに管状体１２Ｔが巻かれる方法であれば、螺旋状を有した管状部１２を１本の管状体１２Ｔによって形成することが容易でもある。
【００４３】
周壁部１１を形成する工程では、例えば、周壁部１１を形成するための樹脂の押し出し成型によって周壁部１１が形成される。管状体１２Ｔを外周面１１Ｔに巻き付ける工程では、温度を調整する媒体を通すための上記通路１２Ｐが予め形成された管状体１２Ｔが用いられる。そして、管状体１２Ｔが周壁部１１の外周面１１Ｔに溶着されることによって、上記管状部１２と周壁部１１とが一体の樹脂成型物として製造される。
【００４４】
導入部１３Ｂや導出部１３Ａは、例えば、管状体１２Ｔの先端や管状体１２Ｔの基端に切り欠きなどが形成されると共に、外部の通路と接続することを可能に構成された接続部が切り欠きに取り付けられることによって形成される。
【００４５】
なお、管状体１２Ｔが巻かれる工程では、周壁部１１が延びる方向において互いに隣り合う管状部１２の間隔が、例えば、周壁部１１の外周面１１Ｔに管状体１２Ｔが巻かれる速度の変更によって変えられる。また、周壁部１１の外周面１１Ｔにおいて管状部１２が占める範囲は、例えば、周壁部１１の外周面１１Ｔにおいて管状体１２Ｔの巻かれる範囲の変更によって適宜変えられる。また、内側肉厚Ｔｉｎや外側肉厚Ｔｏｕｔは、周壁部１１が有する肉厚の変更や管状体１２Ｔが有する肉厚の変更によって適宜変えられる。
【００４６】
以上、上記実施形態によれば以下に列記する効果が得られる。
（１）周壁部１１と管状部１２とが別体である構成、すなわち、内容物を貯蔵する機能を有した部材と、その内容物の温度を調整する機能を有した部材とが別体である構成と比べ、貯蔵タンクを構成する部材の管理を含め、貯蔵タンクの設置に要する負荷を軽減することが可能である。
【００４７】
（２）筒面１２Ｓが蛇腹状を有する構成であれば、管状部１２のなかに滞在する媒体と、筒面１２Ｓとの接触する面積を大きくすることが可能である。それゆえに、管状部１２のなかに滞在する媒体と、貯蔵タンクの内容物との間での熱の授受、すなわち、管状部１２のなかに滞在する媒体による温度の調整が効果的に行われる。
【００４８】
（３）また、貯蔵タンクを製造する方法の一例として、蛇腹状の筒面１２Ｓを有する管状部１２が周壁部１１の外周面１１Ｔに巻かれ、これら周壁部１１と管状部１２とを一体に成型する方法を採用することが可能でもある。そして、周壁部１１の外周面１１Ｔに巻かれる管状体１２Ｔが蛇腹状の筒面１２Ｓを有するため、管状体１２Ｔを曲げることに要する負荷を抑えることが可能でもある。
【００４９】
（４）外側肉厚Ｔｏｕｔが内側肉厚Ｔｉｎよりも大きい部分を含む貯蔵タンクの構成であれば、通路のなかに滞在する媒体と、貯蔵タンクが設置された環境との間の熱の授受を抑えることが可能でもある。
【００５０】
（５）内側肉厚Ｔｉｎが外側肉厚Ｔｏｕｔよりも大きい部分を含む貯蔵タンクの構成であれば、通路のなかに滞在する媒体と、貯蔵タンクに貯蔵された内容物との間の過剰な熱の授受を抑えることが可能でもある。
【００５１】
（６）樹脂成型物を形成する樹脂よりも高い熱伝導性を有した無機フィラーが樹脂成型物を形成する材料に含まれるため、内容物と、内容物の温度を調整するための媒体との間における熱の授受が高められる。それゆえに、媒体による内容物の温度の調整においてその効率を高めることが可能でもある。
【００５２】
なお、上記実施形態は以下のように変更して実施することができる。
[管状部]
[第１変形例]
・周壁部１１の外周面に位置する管状部１２の数は、１本に限らず、例えば、上下方向において複数でもよい。２つの管状部１２を有する貯蔵タンクの一例を図５に示す。
【００５３】
図５が示すように、周壁部１１の外周面には、その外周面のうちで上半分に位置する第１管状部１２Ａと、その外周面のうちで下半分に位置する第２管状部１２Ｂとが溶着されている。第２管状部１２Ｂは、第１管状部１２Ａに追従する螺旋の延長線上に位置している。
【００５４】
第１管状部１２Ａには、上記管状部１２と同様に、第１媒体を通す通路である第１通路と、第１通路の基端に接続された第１導入部１３Ｂ１と、第１通路の先端に接続された第１導出部１３Ａ１とが形成されている。第１導入部１３Ｂ１および第１導出部１３Ａ１は、第１循環装置２１Ａに接続される。第１循環装置２１Ａは、例えば、第１媒体の一例である第１液体を第１管状部１２Ａに循環させるためのポンプであって、第１導入部１３Ｂ１に向けて第１液体を導出すると共に、第１導出部１３Ａ１から第１液体が導入されるように構成されている。
【００５５】
第１循環装置２１Ａが循環させる第１液体は、例えば、貯蔵タンクに貯蔵された内容物の温度を外気とは異なる温度に調整するための温度を有した液体であり、特に、貯蔵タンクの上半分に位置する内容物の温度の調整に適した液体である。
【００５６】
第２管状部１２Ｂには、上記管状部１２と同様に、第２媒体を通す通路である第２通路と、第２通路の基端に接続された第２導入部１３Ｂ２と、第２通路の先端に接続された第２導出部１３Ａ２とが形成されている。第２導入部１３Ｂ２および第２導出部１３Ａ２は、第２循環装置２１Ｂに接続される。第２循環装置２１Ｂは、例えば、第２媒体の一例である第２液体を第２管状部１２Ｂに循環させるためのポンプであって、第２導入部１３Ｂ２に向けて第２液体を導出すると共に、第２導出部１３Ａ２から第２液体が導入されるように構成されている。
【００５７】
第２循環装置２１Ｂが循環させる第２液体は、例えば、貯蔵タンクに貯蔵された内容物の温度を外気とは異なる温度に調整するための温度を有した液体であり、特に、貯蔵タンクの下半分に位置する内容物の温度の調整に適した液体である。
【００５８】
上述した貯蔵タンクを製造する方法では、樹脂製の周壁部１１を形成すること、周壁部１１の周方向に巻く螺旋状に延びる樹脂製の管状体１２Ｔを周壁部１１の外周面１１Ｔに溶着すること、さらに溶着された管状体１２Ｔのうちで上下方向の中間となる部位に切り欠き１２ＳＴを形成することを含む。管状体１２Ｔに切り欠き１２ＳＴを形成する工程によって、１つの管状体１２Ｔが第１管状部１２Ａと第２管状部１２Ｂとに分割され、かつ、第１導入部１３Ｂ１と第２導出部１３Ａ２とが形成される。
【００５９】
貯蔵タンクに貯蔵された内容物のうちで貯蔵タンクの上半分に位置する内容物の温度は、貯蔵タンクの下半分に位置する内容物の温度よりも高くなりやすい。この際に、第１循環装置２１Ａの循環させる第１液体の温度は、第２循環装置２１Ｂの循環させる第２液体の温度よりも低いことが好ましく、また、第１循環装置２１Ａの循環させる第１液体の流速は、第２循環装置２１Ｂの循環させる第２液体の流速よりも高いことが好ましい。
【００６０】
上記第１変形例によれば、以下に列挙する効果がさらに得られる。
（７）上下方向に並ぶ２つの管状部１２を有する構成であって、かつ、温度を調整する形態を管状部１２ごとに変える制御部を備えた構成であれば、貯蔵タンクに貯蔵された内容物の温度の分布が上下方向で均一になるように、制御部が温調形態を変えることによって、内容物の温度を調整することが可能である。ひいては、周壁部１１の内側に位置する内容物に対して、内容物の上下方向における温度の調整の自由度を高めることが可能にもなる。
【００６１】
（８）例えば、第１媒体の温度と第２媒体の温度とが同じである構成であれば、第２管状部１２Ｂが加わる分だけ、内容物の温度を調整する能力を貯蔵タンクで高めることが可能である。また、第１媒体の有する熱伝導性や温度と、第２媒体の有する熱伝導性や温度とが互いに異なる構成であれば、上下方向における内容物の温度の差異に合わせた温度の調整が可能でもあり、あるいは、上下方向における内容物の温度に意図的に勾配を与えることも可能である。
【００６２】
（９）なお、周壁部１１の外周面に位置する管状部１２の数が３つ以上であれば、管状部１２の数が増す分だけ、貯蔵タンクに貯蔵された内容物の温度の調整を、上下方向において細かく行うことが可能でもある。
【００６３】
（１０）また、１つの管状体１２Ｔに切り欠き１２ＳＴを形成することによって、２つの管状部１２が形成されるため、２つの管状部１２を備える貯蔵タンクの製造が容易でもある。なお、こうした効果は、２つ以上の切り欠き１２ＳＴを形成することによって製造される貯蔵タンク、すなわち、３つ以上の管状部１２を備える貯蔵タンクにおいても得られる。
【００６４】
[第２変形例]
・周壁部１１の外周面に位置する管状部１２が複数であって、上下方向においては、互いに異なる管状部１２の配置が１巻きごとに交互に繰り返されてもよい。すなわち、互いに異なる複数の管状部１２が上下方向において１巻きごとに重なる多重の螺旋状を有してもよい。このような複数の管状部１２が多重の螺旋状を有する貯蔵タンクの製造に際しては、例えば、複数本の管状体１２Ｔが周壁部１１の外周面１１Ｔに１回転ずつ巻かれる方法を採用することが可能である。
【００６５】
上記第２変形例によれば、以下に列挙する効果がさらに得られる。
（１１）複数の管状部１２が多重の螺旋状を有し、かつ、温度を調整する形態が管状部１２ごとに変えられる構成であれば、上下方向において所定の高さ範囲に位置する内容物に対し、内容物の温度を多段階で調整することが可能である。
【００６６】
例えば、２つの管状部１２が上下方向で１巻きずつ重ねられた螺旋状を有する構成であれば、一方の管状部１２のみで内容物の温度を調整する形態と、両方の管状部１２で内容物の温度を調整する形態と、両方の管状部１２から媒体が抜き取られた状態とを切り替える制御部によって、各々の状態で内容物の温度を調整することが可能である。ひいては、周壁部１１の内側に位置する内容物に対し、調整によって到達するべき温度の自由度や、その温度に到達するまでの時間の自由度を高めることが可能にもなる。
【００６７】
[第３変形例]
・周壁部１１の外周部に位置する管状部１２が、周壁部１１の径方向において重なるように周壁部１１に巻かれた管構造体から構成されてもよい。すなわち、周壁部１１の径方向において重ねられた管構造体が、径方向において多重の螺旋状を有してもよい。このように、管状部１２が多重の螺旋状を有する貯蔵タンクの製造に際しては、例えば、複数本の管状体１２Ｔが径方向に重ねられた状態で周壁部１１の外周面１１Ｔに巻かれる方法を採用することが可能である。
【００６８】
上記第３変形例によれば、以下に列挙する効果がさらに得られる。
（１２）管状部１２が多重の管構造体から構成される螺旋状を有し、かつ、温度を調整する形態を管構造体ごとに変える制御部を備える構成であれば、上下方向において所定の高さ範囲に位置する内容物に対し、管状部１２の有する熱容量を多段に変えることが可能である。
【００６９】
例えば、２つの管構造体が径方向に重ねられた螺旋状を有する構成であれば、一方の管構造体のみで内容物の温度を調整する形態と、両方の管構造体で内容物の温度を調整する形態と、両方の管構造体から媒体が抜き取られた状態とに、制御部が温調状態を切り替えることによって、内容物の温度を調整することが可能である。
【００７０】
そして、管状部１２の導入部における媒体の温度と、管状部１２の導出部における媒体の温度との差が大きく、かつ、上下方向において均一な温度が求められるとき、言い換えれば、管状部１２のなかに滞在する媒体に高い熱容量が求められる調整の形態では、両方の管構造体で媒体が循環する形態が採用される。これに対し、管状部１２のなかに滞在する媒体に高い熱容量が求められない温度調整の形態では、一方の管構造体で媒体が循環する、あるいは、両方の管構造体から媒体が抜き取られる形態が採用される。
【００７１】
・なお、貯蔵タンクは、上記実施形態、第１変形例、第２変形例、および、第３変形例から構成される群から選択される２以上の構成の組み合わせであってもよい。
【００７２】
[他の変形例]
・図６が示すように、周壁部１１の外周面１１Ｔにおいて、上下方向で互いに隣り合う管状部１２の間に隙間が形成されず、上下方向で互いに隣り合う管状部１２が接合されてもよい。こうした管状部１２の構成によれば、周壁部１１の外周面１１Ｔにおいて、単位面積当たりに占める管状部１２の大きさを大きくすることが可能である。
【００７３】
・図７が示すように、管状部１２における通路１２Ｐの位置は、周壁部１１の径方向において内側に偏ってもよい。こうした管状部１２の構成によれば、内側肉厚Ｔｉｎと外側肉厚Ｔｏｕｔとの差を通路１２Ｐの位置によって小さくすることが可能である。
【００７４】
・図８が示すように、貯蔵タンクにおいては、管状部１２における径方向の外側に、樹脂製の外周壁部２２がさらに備えられてもよい。外周壁部２２は管状部１２に溶着され、周壁部１１の周方向の全体にわたり管状部１２を囲う。こうした貯蔵タンクの構成によれば、貯蔵タンクが設置された環境と、管状部１２との間の熱の授受が抑えられるため、貯蔵タンクに貯蔵された内容物の温度に対し、管状部１２による温度の調整が効果的に行われ、かつ、調整された内容物の温度を保つことも効果的に行われる。
【００７５】
・図９が示すように、貯蔵タンクにおいては、上下方向で互いに隣り合う管状部１２が接合され、かつ、管状部１２における径方向の外側に、樹脂製の外周壁部２２がさらに備えられてもよい。こうした構成であれば、図７で説明された構成から得られる効果、および、図８で説明された構成から得られる効果の両方を得ることが可能ともなる。
【００７６】
・貯蔵タンクにおいて、導入部１３Ｂは管状部１２の下端に位置し、かつ、導出部１３Ａは管状部１２の上端に位置してもよい。また、第１導入部１３Ｂ１は第１管状部１２Ａの下端に位置し、かつ、第１導出部１３Ａ１は第１管状部１２Ａの上端に位置してもよい。さらに、第２導入部１３Ｂ２は第２管状部１２Ｂの下端に位置し、かつ、第２導出部１３Ａ２は第２管状部１２Ｂの上端に位置してもよい。
【００７７】
[貯蔵タンク]
・貯蔵タンクは、内容物の一例である粒体を貯蔵タンクの内部へ投入するためのホッパを別途天面１１Ｓに備えていてもよい。
・貯蔵タンクは、周壁部１１の内側に円筒状の内周壁部がさらに備えられた二重管構造を有してもよい。
【００７８】
・図１０が示すように、貯蔵タンクは、天面１１Ｓから上方に延びる円筒状の上側周壁部２５が備えられた多段管構造を有してもよい。この際に、上側周壁部２５の外周面には、他の管状部１２が溶着されてもよく、あるいは、上側周壁部２５の外周面には、管状部１２が溶着されていなくてもよい。
・周壁部１１と管状部１２とは、互いに異なる樹脂から形成され、互いに異なる樹脂による二色成形によって一体となる樹脂成形体であってもよい。
【００７９】
・周壁部１１は、内容物に対する各種の処理を行う配管が周壁部１１の内部に備えられる構成であってもよい。また、周壁部１１は、内容物の温度を調整するための温度調整部が周壁部１１の内部に備えられる構成であってもよい。なお、周壁部１１の内部に温度調整部が備えられる構成では、温度調整部の占める体積分だけ、内容物の容積が小さくなる。それゆえに、内容物の容積が大きくなる観点では、内容物の温度を調整する機能を管状部１２のみが担い、上述した温度調整部が省略されることが好ましい。
【００８０】
・内側肉厚Ｔｉｎと外側肉厚Ｔｏｕｔとは、管状部１２の全てにおいて互いに等しくてもよい。また、内側肉厚Ｔｉｎが外側肉厚Ｔｏｕｔよりも大きい部分と、内側肉厚Ｔｉｎが外側肉厚Ｔｏｕｔよりも小さい部分とが、貯蔵タンクの全体において混在していてもよい。
【００８１】
・管状部１２に形成された通路に媒体を導入する導入部は、管状部１２の下端以外、例えば、管状部１２の上端、管状部１２の上端および下端、さらには、管状部１２における上端と下端との中間に位置してもよい。管状部１２の上端に導入部が位置する構成では、管状部１２の下端に導出部が位置する。また、管状部１２の上端および下端に導入部が位置する構成であれば、管状部１２における上端と下端との中間に導出部が位置する。また、管状部１２における上端と下端との中間に導入部が位置する構成では、管状部１２の上端と下端とに導出部が位置する。なお、管状部１２の下端に導入部が位置する構成であれば、管状部１２に形成された通路内の気泡が、その通路内に媒体を導入する際に排出することが容易である。
・循環装置２１、第１循環装置２１Ａ、および、第２循環装置２１Ｂが循環させる媒体は、液体に限らず、気体であってもよく、さらに、液体と気体とを切り替えるように構成されてもよい。
【符号の説明】
【００８２】
Ｔａ…タンク肉厚、Ｔｉｎ…内側肉厚、Ｔｏｕｔ…外側肉厚、Ｔｐ…通路径、１１…周壁部、１１Ｓ…天面、１２…管状部、１２Ａ…第１管状部、１２Ｂ…第２管状部、１２Ｐ…通路、１２Ｓ…筒面、１２ｉｎ…内側部分、１２ｏｕｔ…外側部分、１２Ｍ…山折部、１２Ｖ…谷折部、１３Ａ…導出部、１３Ｂ…導入部、１４…点検部、１５…天面ノズル、１６…手摺り、１７…梯子、２１…循環装置。
【図１】
0006693724.tif 000002
【図２】
0006693724.tif 000003
【図３】
0006693724.tif 000004
【図４】
0006693724.tif 000005
【図５】
0006693724.tif 000006
【図６】
0006693724.tif 000007
【図７】
0006693724.tif 000008
【図８】
0006693724.tif 000009
【図９】
0006693724.tif 000010
【図１０】
0006693724.tif 000011